(57)【要約】　　　（修正有）【課題】動力供給源を内燃機関等に頼らず必要な動力を得られる装置で、しかも運転騒音や振動を無くし、かつ軽量であるものを提供する。【解決手段】動力発生装置は、本体は円筒状のタンクであり、その両側に液戻り管を付し、上部に動力取出軸のある単純な形状のものである。そして装置の内部はタービン翼と其の軸及び軸受け、冷却され液化した炭酸ガスを本体底部に戻すため液受け樋を持ち、タンク底部にある液化炭酸ガスをヒーターで加熱し蒸発させ蒸気の流れでタービンを回す構造を有するのものである。【選択図】図１
0003099353.tif 000002
【実用新案登録請求の範囲】
【請求項１】
０．０３％〜９９．９％の炭酸ガス濃度の溶液を作動液として使用する。
【請求項２】
作動液を−７８℃〜２００℃の間で適切な温度に加熱蒸発させ、その蒸気でタービンを回転し動力を発生させる装置。
【考案の詳細な説明】
【０００１】
［考案の属する技術分野］
本考案は、電力を利用できない僻地や工事現場などで機器の運転や発電を行う為の動力源に関するものである。
【０００２】
［従来の技術］
従来、電力が利用できない場所で動力が必要となった場合は、内燃機付き発電機に頼っていたが、どのような種類の発電機でもかなりの重量があり持ち運びや据付に不便であった、しかも屋内やトンネル内では換気に留意しなければならない。
【０００３】
［考案が解決しようとする課題］
内燃機関やボイラーを使用した発電では有害排気ガスが発生する。
【０００４】
騒音や振動が大きく据え付け場所が限定される。
【０００５】
燃料とする可燃物の保管場所が必要となる。
【０００６】
出力に比較し形状、重量が大きく運搬や据え付けに過大な労力が必要である。
【０００７】
本考案は従来の技術の有するこのような問題点に鑑みてなされたものでありその目的とするところは、動力供給源を内燃機関等に頼らず必要な動力を得られる装置で、しかも運転騒音や振動を無くし、かつ軽量であるものを提供しようとするものである。
【０００８】
また，内燃機関ではないので燃料を燃焼させることも無く、その補給も不必要であり火気厳禁の場所や換気不充分な場所でも使用可能とするものである。
【０００９】
［課題を解決するための手段］
上記目的を達成するために本考案における動力発生装置は、本体は円筒状のタンクであり、その両側に図１の▲９▼に示す液戻り管を付し、図１の▲２▼のごとく上部に動力取出軸のある単純な形状のものである。
【００１０】
そして上記装置の内部は図１の▲１▼タービン翼と其の軸及び図１の▲３▼軸受け、冷却され液化した炭酸ガスを本体底部に戻すため図１の▲４▼の液受け樋を持ち、図１のタンク底部にある液化炭酸ガスを図１の▲５▼のヒーターで加熱し蒸発させ蒸気の流れでタービンを回す構造を有するのものである。
【００１１】
また、本体及びその他をアルミ合金等で製作し軽量でコンパクトな形状とするのが望ましい。
【００１２】
［考案の実施の形態］
本考案の動力発生装置は電力の無い工事現場、僻地、離島等において動力の供給及び、この動力を利用し発電機を駆動し電力を発生させるものである。
【００１３】
［実施例］
実施例について図面を参照して説明する。
図１のタンク底部に作動液とし、炭酸ガスの混合溶液を一定量封入し、タンク外部より図１の▲５▼ヒーターで加熱蒸発させ、その蒸気で図１の▲１▼タービン翼を回転させ動力を取り出す。
タービンを回転させた後に気体である炭酸ガスは図１の上部冷却室で冷却され液化し図１の▲９▼の液戻り管によりタンク底部に戻され循環する。
【００１４】
図１のタンク下部のＡ加熱室と上部のＢ冷却室は完全に断熱されているうえにＢ冷却部タンクはベローズ形とし冷却を促進する。
【００１５】
［考案の効果］
本考案は、上述の通り構成されているので、次に記載する効果を奏する。
【００１６】
有害な排気物が一切無く、騒音や振動も皆無に等しい。
燃料補給の必要がなく、其の備蓄も不要のため消防法上有利である。
構造が簡単であり設備費用が大幅に削減される。
【図面の簡単な説明】
【図１】本装置全体の断面図である。
【符号の説明】
Ａ　　加熱室
Ｂ　　冷却室
▲１▼　　タービン
▲２▼　　動力取出軸
▲３▼　　軸受け
▲４▼　　液受け樋
▲５▼　　ヒーター
▲６▼　　空冷用フイン
▲７▼　　断熱材
▲８▼　　逆止弁
▲９▼　　液戻り管
【図１】
0003099353.tif 000003
【手続補正書】
【提出日】平成15年9月19日(2003.9.19)
【手続補正１】
【補正対象書類名】明細書
【補正対象項目名】全文
【補正方法】変更
【補正の内容】
【実用新案登録請求の範囲】
【請求項１】タンクの底部に作動液として炭酸ガスの混合溶液を一定量封入し、前記作動液を前記タンクの外部よりヒーターで加熱蒸発させ、前記作動液の蒸気でタービン翼を回転させ動力を取り出し、前記タービン翼を回転させた後に気体である炭酸ガスを上部の冷却室で冷却して液化し液戻り管によりタンク底部に戻し循環させるように構成された動力発生装置であって、
０．０３％〜９９．９％の炭酸ガス濃度の溶液を前記作動液として使用する動力発生装置。
【請求項２】タンクの底部に作動液として炭酸ガスの混合溶液を一定量封入し、前記作動液を前記タンクの外部よりヒーターで加熱蒸発させ、前記作動液の蒸気でタービン翼を回転させ動力を取り出し、前記タービン翼を回転させた後に気体である炭酸ガスを上部の冷却室で冷却して液化し液戻り管によりタンク底部に戻し循環させるように構成された動力発生装置であって、
　前記ヒータにより前記作動液を−７８℃〜２００℃の間で適切な温度に加熱蒸発させ、前記作動液の蒸気でタービン翼を回転し動力を発生させる動力発生装置。
【考案の詳細な説明】
【０００１】
【考案の属する技術分野】
本考案は、電力を利用できない僻地や工事現場などで機器の運転や発電を行なう為の動力源などに利用可能な動力発生装置に関するものである。
【０００２】
【従来の技術】
従来、電力が利用できない場所で動力が必要となった場合は、内燃機関付き発電機に頼っていたが、どのような種類の発電機でもかなりの重量があり持ち運びや据付に不便であった、しかも屋内やトンネル内では換気に留意しなければならない。
【０００３】
【考案が解決しようとする課題】
内燃機関やボイラーを使用した発電では、有害排気ガスが発生する。
【０００４】
内燃機関やボイラーを使用した発電では、騒音や振動が大きく据え付け場所が限定される。
【０００５】
内燃機関やボイラーを使用した発電では、燃料とする可燃物の保管場所が必要となる。
【０００６】
内燃機関やボイラーを使用した発電では、出力に比較し形状、重量が大きく運搬や据え付けに過大な労力が必要である
【０００７】
本考案は従来の有するこのような問題点に鑑みてなされたものでありその目的とするところは、動力供給源を内燃機関等に頼らず必要な動力を得られる動力発生装置で、しかも運転騒音や振動を無くし、かつ軽量であるものを提供しようとするものである。
【０００８】
また、内燃機関ではないので燃料を燃焼させることもなく、その補給も不必要である。【０００９】
【課題を解決するための手段】
　上記目的を達成するために本考案における動力発生装置は、タンクの底部に作動液として炭酸ガスの混合溶液を一定量封入し、前記作動液を前記タンクの外部よりヒーターで加熱蒸発させ、前記作動液の蒸気でタービン翼を回転させ動力を取り出し、前記タービン翼を回転させた後に気体である炭酸ガスを上部の冷却室で冷却して液化し液戻り管によりタンク底部に戻し循環させるように構成された動力発生装置であって、０．０３％〜９９．９％の炭酸ガス濃度の溶液を前記作動液として使用する。
【００１０】
　また、上記目的を達成するために本考案における動力発生装置は、タンクの底部に作動液として炭酸ガスの混合溶液を一定量封入し、前記作動液を前記タンクの外部よりヒーターで加熱蒸発させ、前記作動液の蒸気でタービン翼を回転させ動力を取り出し、前記タービン翼を回転させた後に気体である炭酸ガスを上部の冷却室で冷却して液化し液戻り管によりタンク底部に戻し循環させるように構成された動力発生装置であって、前記ヒータにより前記作動液を−７８℃〜２００℃の間で適切な温度に加熱蒸発させ、前記作動液の蒸気でタービン翼を回転し動力を発生させる。
【００１１】
上記目的を達成するために本考案における動力発生装置は、本体は円筒状のタンクであり、図１に示すように、その両側に液戻り管９を付し、上部に動力取出軸２のある単純な形状のものである。
【００１２】
そして上記装置の内部は、図１に示すように、タービン翼１とその軸及び図１の軸受け３、冷却されて液化した炭酸ガスを本体底部に戻すため、ヒーター５で過熱し蒸発させ蒸気の流れでタービン翼１を回す構造を有するものである。
【００１３】
また、本体及びその他をアルミ合金等で製作し軽量でコンパクトな形状とするのが望ましい。
【００１４】
【考案の効果】
本考案は、上述通り構成されているので、次に記載する効果を奏する。
【００１５】
有害な廃棄物が一切無く、騒音や振動も皆無に等しい。
燃料補給の必要がなく、其の備蓄も不要のため消防法上有利である。
構造が簡単であり設備費用が大幅に削減される。
【００１６】
【考案の実施の形態】
本考案の動力発生装置は電力の無い工事現場、僻地、離島等において動力の供給及び、この動力を利用し発電機を駆動し電力を発生させるものである。
【００１７】
【実施例】
実施例について図面を参照して説明する。
図１のタンク底部に作動液として炭酸ガスの混合溶液を一定量封入し、その作動液をタンク外部よりヒーター５で加熱蒸発させ、その蒸気でタービン翼１を回転させ動力を取り出す。
タービン翼１を回転させた後に気体である炭酸ガスは上部の冷却室Ｂで冷却され液化し液戻り管９によりタンク底部に戻され循環する。
【００１８】
タンク下部の加熱室Ａと上部の冷却室Ｂは完全に断熱されているうえに冷却部Ｂタンクはベローズ形とし冷却を促進する。
【図面の簡単な説明】
【図１】
本装置全体の断面図である。
【符号の説明】
Ａ　加熱室
Ｂ　冷却室
１　タービン
２　動力取出軸
３　軸受け
４　液受け樋
５　ヒーター
６　空冷用フィン
７　断熱材
８　逆止弁
９　液戻り管